(57)【要約】【課題】印鑑本体に様々な絵柄や文字の装飾を施すことができ、前記装飾において美観を損なわずにより多くの情報を表現することのできる印鑑を提供する。【解決手段】透明な樹脂材料により円柱状に形成され、一端に印面１ａを有する印鑑本体１と、前記印鑑本体１の側面に貼付され、表裏面に夫々絵柄及び／または文字が描かれた第一のシール部材２とを備え、前記印鑑本体１の側面には、底部が平面状の凹部１ｃが形成され、前記第一のシール部材２は、前記凹部１ｃの底部に貼付される。【選択図】  図１
0003114652.tif 000002
【実用新案登録請求の範囲】
【請求項１】
透明な樹脂材料により円柱状に形成され、一端に印面を有する印鑑本体と、前記印鑑本体の側面に貼付され、表裏面に夫々絵柄及び／又は文字が描かれた第一のシール部材とを備え、
前記印鑑本体の側面には、底部が平面状の凹部が形成され、
前記第一のシール部材は、前記凹部の底部に貼付されることを特徴とする印鑑。
【請求項２】
前記第一のシール部材の上に設けられ、前記第一のシール部材を封止する透明樹脂により形成された第一のコーティング剤を備えることを特徴とする請求項１に記載された印鑑。
【請求項３】
前記第一のコーティング剤は、凸レンズ状に形成されて設けられることを特徴とする請求項２に記載された印鑑。
【請求項４】
前記印鑑本体の印面が形成されない他端に貼付され、表面に絵柄及び／または文字が描かれた第二のシール部材と、
前記第二のシール部材の上に設けられ、前記第二のシール部材を封止する透明樹脂により形成された第二のコーティング剤を備えることを特徴とする請求項１乃至請求項３のいずれかに記載された印鑑。
【考案の詳細な説明】
【技術分野】
【０００１】
本考案は印鑑に関し、特に印鑑本体に装飾性を付加した印鑑に関する。
【背景技術】
【０００２】
例えばキャラクター商品の一つとして、または行事に係る記念品としての印鑑がある。そのような印鑑においては、キャラクターや行事に係るイラストや写真等の絵柄が、例えば転写により印材表面に印刷されている。より簡易なものでは、絵柄がシールに印刷され、そのシールが印材表面（印鑑側面等）に貼付されている。
尚、印材側面に、キャラクター等を印刷したシールを貼付して装飾性を高める印鑑については、特許文献１に記載されている。
【特許文献１】特開２００４−３０６３１８号公報
【考案の開示】
【考案が解決しようとする課題】
【０００３】
前記のように、絵柄を転写により印材表面に印刷したり、絵柄を印刷したシールを印材表面に貼付して装飾を施す方法によれば、印刷する絵柄のデータを変えるだけでよいため、様々なキャラクターや行事に容易に対応することができる。
【０００４】
しかしながら、例えば、印鑑の側周面を覆いつくように、印材表面に様々な絵柄を転写印刷したり、シールを貼付すると、視覚的に煩雑な印象を与えるという問題があった。即ち、印材表面は物理的なスペースに限界があるため、美観を損なわずに装飾を施すには、表現できる情報量が限られるという課題があった。
【０００５】
本考案は前記したような事情の下になされたものであり、印鑑本体に様々な絵柄や文字の装飾を施すことができ、前記装飾において美観を損なわずに、より多くの情報を表現することのできる印鑑を提供することを目的とする。
【課題を解決するための手段】
【０００６】
前記の目的を達成するために、本考案の印鑑は、透明な樹脂材料により円柱状に形成され、一端に印面を有する印鑑本体と、前記印鑑本体の側面に貼付され、表裏面に夫々絵柄及び／又は文字が描かれた第一のシール部材とを備え、前記印鑑本体の側面には、底部が平面状の凹部が形成され、前記第一のシール部材は、前記凹部の底部に貼付されることに特徴を有する。
【０００７】
このように構成することにより、第一のシールの裏側に描かれた絵柄や文字も印鑑本体を介して見ることができるため、シールの表側と裏側を装飾として有効に利用することができる。したがって、印鑑本体の表面の限られたスペースにおいて、美観を損なわずに、より多くの情報を装飾として表現することができる。
また、第一のシールが凹部の平面状の底部に貼付されるため、シール表裏面の絵柄や文字を湾曲させずに見ることができる。
さらに、前記凹部は、印影の上下を判別するあたり部として用いることもできる。
【０００８】
また、前記第一のシール部材の上に設けられ、前記第一のシール部材を封止する透明樹脂により形成された第一のコーティング剤を備えることが望ましい。
このように構成すれば、第一のシールに描かれた絵柄や文字の変色等の劣化を抑制することができる。
【０００９】
また、前記第一のコーティング剤は、凸レンズ状に形成されて設けられることが望ましい。
このようにすることにより、第一のシールの絵柄や文字を拡大して見ることができ、装飾性を向上することができる。
【００１０】
また、前記印鑑本体の印面が形成されない他端に貼付され、表面に絵柄及び／または文字が描かれた第二のシール部材と、前記第二のシール部材の上に設けられ、前記第二のシール部材を封止する透明樹脂により形成された第二のコーティング剤を備えることが望ましい。
このように構成することにより、印鑑頭部の小さいスペースも装飾として有効に利用することができる。
【考案の効果】
【００１１】
本考案によれば、印鑑本体に様々な絵柄や文字の装飾を施すことができ、前記装飾において美観を損なわずにより多くの情報を表現することのできる印鑑を提供することができる。
【考案を実施するための最良の形態】
【００１２】
以下、本考案に係る印鑑につき、図に示す実施の形態に基づいて説明する。図１は本考案に係る印鑑の、印鑑側面に形成された凹部を斜視する側面図、図２は図１の印鑑の、前記凹部を側面視する側面図、図３は、図１の印鑑の、前記凹部を裏側から視た側面図である。また、図４は、図１の印鑑の頭部側からの斜視図である。
【００１３】
図示するように、印鑑１００は、円柱状に形成された印材である印鑑本体１の一端に、印面１ａを有する。この印鑑本体１は、透明な樹脂材料（例えばアクリル材）により形成されている。
また、図１、図２に示すように、この印鑑本体１の側面には、印影の上下を判定するための、あたり部として機能する凹部１ｃが形成されている。この凹部１ｃの底部は平面状に形成され、そこに例えば写真やイラスト（図では野球選手）の絵柄や文字が描かれたシール２（第一のシール部材）が貼付されている。このようにシール２が印鑑本体１の側面において、曲面ではなく平面に貼付されるため、シールの絵柄や文字を湾曲させずに見ることができる。また、平面に貼付されるため、剥がれにくくすることができる。
尚、このシール２の材質は、例えば、紙、プラスティックシート、フィルム等のいずれにより形成されてもよく、それ以外の材質であってもよい。
【００１４】
さらに、このシール２上にはシール保護部材として、例えば軟質系ポリ塩化ビニール（ＰＶＣ）、軟質系ポリウレタン（ＰＶＲ）、ポリエチレンテレフタラート（ＰＥＴ）等からなる透明樹脂のコーティング剤３（第一のコーティング剤）が塗布され、シール２が封止されている。これにより、シール２の絵柄や文字の変色等の劣化が抑制され、シール２の剥がれが防止される。
また、このコーティング剤３は弾性を有し、印鑑１００を捺印する際の、使用者の指の滑り止めとして機能するようになされている。
【００１５】
また、この透明のコーティング剤３を介して、シール２の絵柄や文字は使用者等に視認されるが、コーティング剤３が凸レンズ状の厚みを有することにより拡大レンズとして機能し、シール２の絵柄や文字を拡大して見ることができるように構成されている。即ち、これにより装飾効果が向上するようになされている。したがって、このシール２の表に描かれる絵柄や文字は、主となる絵柄や文字、例えば印鑑１００が野球関連商品ならば野球選手の写真、卒業記念ならば校舎の写真等が好ましい。
尚、コーティング剤３のレンズ効果により拡大された絵柄や文字の縦横長さの比率が正しくなるよう、シール２に描かれる絵柄や文字が、事前に縦方向や横方向に伸縮され修正されていることが好ましい。
【００１６】
また、前記したように印鑑本体１は、透明な材料で形成されているため、図３に示すようにシール２の裏面を印鑑本体１を介して視認することができる。即ち、シール２の裏面にも絵柄や文字（図３では文字）を描いていれば、使用者は、シール２の表側だけでなく裏側の絵柄や文字を見ることができる。
尚、シール２の裏側は印鑑本体１を介して視認されるため、シール２の表側に比べ視認性が若干劣る。このため、シール２の裏側には、副となる絵柄や文字、例えば、印鑑１００が野球関連商品ならば野球チームの応援歌歌詞、卒業記念ならば校歌の歌詞等が描かれるのが好ましい。
【００１７】
また、印鑑１００の頭部１ｂにおいては、図４に示すようにシール２とは異なる絵柄や文字（図では野球選手の背番号）が印刷されたシール４（第二のシール部材）が貼付されている。さらに、このシール４の上には、透明樹脂からなるコーティング剤５（第二のコーティング剤）が塗布され、シール４を封止している。
【００１８】
したがって、印鑑１００の頭部１ｂにおける小さいスペースにも、ワンポイントで所望の装飾を施すことができるようになされている。このためシール４には、例えば、印鑑１００が野球関連商品ならば野球選手の背番号、卒業記念ならば学校の紋章等が描かれるのが好ましい。
尚、シール４は、シール２と同じ材質で形成され、また、コーティング剤５は、コーティング剤３と同じ材質で形成され、同様の効果を有する。
また、凹部１ｃの底部と同様に、頭部１ｂが平面であるため、シール４は剥がれ難く、また、コーティング剤５が施されているため、シール４をより一層剥がれ難くしている。
【００１９】
以上のように本考案に係る実施の形態によれば、印鑑本体１は透明な部材により形成されるため、シール２の表裏面に絵柄や文字を描いておくことにより、シールの表側と裏側を装飾として有効に利用することができる。したがって、印鑑本体１の表面の限られたスペースにおいて、美観を損なわずに、より多くの情報を装飾として表現することができる。
【００２０】
また、印鑑本体１の側面において、底部が平面状に形成されたあたり部としての凹部１ｃが形成され、その平面状の底部にシール２が貼付されるため、絵柄や文字を湾曲させずに見ることができ、また、シール２の剥がれを防止することができる。
また、シール２は透明のコーティング剤３により封止されるため、シール２に描かれた絵柄や文字の変色等の劣化を抑制することができ、また、シール２の剥がれをより一層防止することができる。
また、コーティング剤３は、凸レンズ状に形成されて設けられるため、拡大レンズ効果によりシール２の絵柄や文字を拡大して見ることができ、装飾性を向上することができる。
【００２１】
さらには、印鑑本体１ｂの頭部１ｂにも絵柄や文字が描かれたシール４が貼付され、シール４は透明のコーティング剤５により封止されるため、前記したシール２の場合と同様の効果の他、印鑑頭部の小さいスペースも装飾として有効に利用することができるという効果を得ることができる。
【産業上の利用可能性】
【００２２】
本考案は、印鑑本体に装飾性を有する印鑑に関するものであり、印鑑製造業者によって製造され、例えばキャラクター商品として、また、卒業記念品として好適に利用されるものである。
【図面の簡単な説明】
【００２３】
【図１】図１は、本考案に係る印鑑の、印鑑側面に形成された凹部を斜視する側面図である。
【図２】図２は、図１の印鑑の、印鑑側面に形成された凹部を側面視する側面図である。
【図３】図３は、図１の印鑑の、印鑑側面に形成された凹部を裏側から視た側面図である。
【図４】図４は、図１の印鑑の頭部側からの斜視図である。
【符号の説明】
【００２４】
１      印鑑本体
１ａ    印面
１ｂ    頭部
１ｃ    凹部（あたり部）
２      シール（第一のシール部材）
３      コーティング剤（第一のコーティング剤）
４      シール（第二のシール部材）
５      コーティング剤（第二のコーティング剤）
１００  印鑑
【図１】
0003114652.tif 000003
【図２】
0003114652.tif 000004
【図３】
0003114652.tif 000005
【図４】
0003114652.tif 000006